(57)【要約】【課題】軒樋を吊具本体に取付けた状態で軒樋の水勾配の調整を簡単に行うことができる軒樋吊具を提供することを目的とする。【解決手段】両端部に軒樋７の耳部７１、７２を支持する樋耳支持部１１、１２が設けられた吊具本体１と、軒先の鼻隠し板６などに取り付けられる取付体２と、吊具本体１の中央部から上方に突出して設けられる吊設ピン３とからなり、前記取付体２の屋外側端部に吊設ピン３が挿通される挿通孔２５が設けられ、この挿通孔２５に吊具本体１に設けられた吊設ピン３の上端部３１が上下方向に摺動自在に挿通して突出しており、この上端部３１に把手４３を有するリフトレバー４の先端部が取付けられ、リフトレバー４の把手４３を押圧することにより吊具本体１を持ち上げるようにした。【選択図】　　　図３
2004143854.tif 000002
【特許請求の範囲】
【請求項１】
両端部に軒樋の耳部を支持する樋耳支持部が設けられた吊具本体と、軒先の鼻隠し板などに取り付けられる取付体と、前記吊具本体の中央部から上方に突出して設けられる吊設ピンとからなり、前記取付体の屋外側端部に吊設ピンが挿通される挿通孔が設けられ、この挿通孔に吊具本体に設けられた吊設ピンの上端部が上下方向に摺動自在に挿通して突出しており、この上端部に把手を有するリフトレバーの先端部が取付けられ、リフトレバーの把手を押圧することにより吊具本体を持ち上げるようにしたことを特徴とする軒樋吊具。
【発明の詳細な説明】
【０００１】
【発明の属する技術分野】
本発明は軒樋を取付けた状態で水勾配の調整を行うことができる軒樋吊具に関する。
【０００２】
【従来の技術】
従来、軒樋を軒先に取り付ける際に使用される軒樋吊具として、両端部に軒樋耳支持部が、中央部に長手方向に沿ってボルト挿入用の長孔がそれぞれ設けられた吊具本体と、一端部に取付部が、他端部にボルト挿入孔がそれぞれ設けられ、この他端部の両側縁が下方に曲げられて係止片が形成された取付体とからなり、この取付体の係止片の間に前記吊具本体の中央部が装着されて吊具本体が長手方向に摺動自在に当接され、取付体のボルト挿入孔と吊具本体のボルト挿入長孔とに挿通されたボルトと、蝶ナットとで、吊具本体が取付体に止着されたものが知られている（たとえば特許文献１参照。）。
【０００３】
また、前板が後板より高く形成された軒樋を軒先に取り付ける際に使用される軒樋吊具として、前端部に立ち上げ片が形成され、後端部に建物に固着される本体固定部が設けられた吊具本体と、吊具本体の立ち上げ片に一端が連結固定され、他端が建物に固着される補助固定部を有する補助金具とからなり、補助金具が吊具本体の立ち上げ片と上下方向にスライド調整自在に連結固定されているものが知られている（たとえば特許文献２参照。）。
【０００４】
【特許文献１】
実開平４─８２２３２号公報（第１図）
【特許文献２】
特開平１０─８６６５号公報（段落００２０、第１図）
【０００５】
【発明が解決しようとする課題】
ところで、通常、軒樋は排水を良くするために、軒樋の排水口を設けている側を低くし、反対側を高くするように水勾配を設けて軒先に取付けられており、この水勾配に合わせて、軒樋吊具を軒先の鼻隠し板等に取付け固定している。
【０００６】
しかしながら、特許文献１に記載の軒樋吊具では、水勾配を大きくとると、相隣り合う軒樋吊具との高低差が大きくなってしまい、軒樋を軒樋吊具に装着するためには、軒樋を鉛直方向に大きく変形させるなければならないので、大きな持ち上げる力が必要であった。
【０００７】
特に、材質が金属製の軒樋の場合、軒樋を軒樋吊具に装着するのに極めて大きな力を必要とし、軒樋をハンマー等で叩いたりして強制的に持ち上げ装着することがあった。そのために軒樋が変形してしまうということがあった。
【０００８】
また、特許文献２に記載の軒樋吊具では、高さ方向にスライド調整することができるが、吊具本体に軒樋を装着した後では、水勾配を大きくとるには吊具本体を持ち上げることが困難である。
【０００９】
本発明は上記従来の問題を解消しようとするものであり、その目的とするところは、軒樋を吊具本体に取付けた状態で軒樋の水勾配の調整を簡単に行うことができる軒樋吊具を提供することである。
【００１０】
【課題を解決するための手段】
請求項１記載の本発明の軒樋吊具は、両端部に軒樋の耳部を支持する樋耳支持部が設けられた吊具本体と、軒先の鼻隠し板などに取り付けられる取付体と、前記吊具本体の中央部から上方に突出して設けられる吊設ピンとからなり、前記取付体の屋外側端部に吊設ピンが挿通される挿通孔が設けられ、この挿通孔に吊具本体に設けられた吊設ピンの上端部が上下方向に摺動自在に挿通して突出しており、この上端部に把手を有するリフトレバーの先端部が取付けられ、リフトレバーの把手を押圧することにより吊具本体を持ち上げるようにしたものである。
【００１１】
【発明の実施の形態】
以下、本発明の実施の形態を図面に基づいて説明する。
図１は本発明の軒樋吊具の一実施例を示す側面図、図２は図１の軒樋吊具のリフトレバーを押し下げた状態を示す一部破断した側面図、図３は本発明の軒樋吊具が軒先に取付けられた状態を説明する図で、同図（ａ）　はリフトレバーを作動させる前の状態を示す側面図、同図（ｂ）　はリフトレバーを作動させ押し下げた状態を示す側面図、図４は本発明の軒樋吊具を使用して軒樋を取付ける手順を説明する図で、同図（ａ）　は、軒樋吊具を鼻隠し板に水勾配に沿って配列した状態を示す正面図、同図（ｂ）　は、軒樋吊具に軒樋を取付けて持ち上げた状態を示す正面図である。
【００１２】
図１〜２において、Ｈは内吊り方式の軒樋吊具であり、吊具本体１と取付体２とで構成されている。吊具本体１および取付体２はともにステンレス製のものである。吊具本体１に吊設ピン３が立設され、この吊設ピン３の上端部３１が取付体２を貫通して上方に突出しており、この上端部３１にリフトレバー４が回動自在に取付けられている。
【００１３】
吊具本体１の屋外側の一端部には、軒樋の屋外側耳部を支持する樋耳支持部１１が、屋内側の他端部には、軒樋の屋内側耳部を支持する樋耳支持部１２がそれぞれ設けられている。また、吊具本体１の中央部には、図２に示すように、吊設ピン３を挿着するための取付孔１３が上下方向に開口して設けられている。
【００１４】
取付体２の屋内側の一端部には矩形板状の取付部２１が垂直に設けられており、屋外側の他端部には吊設部２４が水平に設けられている。取付部２１と吊設部２４は前下がり部２２および傾斜部２３にて一体に連結されており、吊設部２４のほぼ中央には吊設ピン３を挿通するための挿通孔２５が設けられている。
【００１５】
取付部２１の上端部から前下がり部２２、傾斜部２３および吊設部２４の先端に至る部分においては、幅方向の両側部が下方に屈曲されて側片部２６が設けられており、この側片部２６、２６間の間隔は、吊具本体１の幅よりわずかに広くされている。
【００１６】
上記吊具本体１の取付孔１３に挿通される吊設ピン３は、直径が５〜１０ｍｍのステンレス製の心棒から形成されており、図２に示すように、軸部３０の下端に鍔部３２を有するもので、軸部３０の下端をリベット状に押し圧することにより鍔部３２を形成することができる。尚、吊設ピン３の上端部３１には図示しない軸孔が設けられている。
【００１７】
吊具本体１が取付体２に吊設ピン３で吊設された状態で、リフトレバー４の把手４３を上下方向に作動させることにより、吊具本体１が取付体２に対して上下方向に移動することができる。
【００１８】
また、吊設ピン３の上端部３１に回動自在に取付けられるリフトレバー４は、先端部に吊設ピン３の上端部３１を挟み込むように二股の垂直壁４１が形成され、この垂直壁４１に軸孔４２が穿設されており、後端部はリフトレバー４を押し付ける把手４３とされている。この把手４３と垂直壁４１とは、垂直壁４１が水平のとき垂直壁４１の後端部から屈曲して後方に向けて跳ね上がった状態で把手４３が形成されており、垂直壁４１の下側縁であって後端の屈曲部が支点４４とされている。
【００１９】
吊具本体１を取付体２に吊設ピン３で吊設するには、吊設本体１の下方から取付孔１３にリング状の台座１４を介して吊設ピン３を挿着して上方に突出させ、吊設ピン３の上端部３１を取付体２の挿通孔２５に挿通して吊設部２４の上側に突出させる。吊設部２４から突出した上端部３１をリフトレバー４の二股の垂直壁４１で挟んで軸孔４２に軸ピン３３を嵌め込み、リフトレバー４の先端部を回動自在に取り付ける。
【００２０】
このように吊具本体１が取付体２に吊設ピン３で吊設された状態では、リフトレバー４の把手４３を上下方向に回動させることにより、吊具本体１が取付体２に対して上下方向に移動することができる。
【００２１】
つぎに、図３〜図４により上記軒樋吊具Ｈの使用方法について説明する。まず、図４（ａ）　に示すように、軒樋７の水勾配ｓが標準どおりとれるように、軒先の鼻隠し板６の両側に配設された排水用の竪樋８、８の中間位置の水上に、リフトレバー４が設けられた軒樋吊具Ｈを取付け、竪樋８側の水下にそれぞれ通常の軒樋吊具Ｈ２　（リフトレバーが設けられていない）とを取付けて、水下と水上の両者間に水糸を張り、それに合わせて中間に通常の軒樋吊具Ｈ１　を取付ける。
【００２２】
このとき、水上のリフトレバー付きの軒樋吊具Ｈは、リフトレバー４の把手４３を撥ね上げた状態で取付体２の取付部２１に設けられたビス孔にビス（不図示）を通して鼻隠し板６に取付体２を固定する。
【００２３】
続いて、軒樋７の屋外側耳部７１を軒樋吊具Ｈの吊具本体１の樋耳支持部１１に係止させ、軒樋７を屋内側に回動させて軒樋７の屋内側耳部７２を吊具本体１の樋耳支持部１２に係止させることにより、通常の軒樋吊具Ｈ１　、Ｈ２　及びリフトレバー付きの軒樋吊具Ｈに軒樋７を取り付ける。
【００２４】
最後に、図３（ｂ）　に示すように、軒樋吊具Ｈのリフトレバー４の把手４３を下方に押圧すると、吊具本体１が持ち上げられ、水上側の軒樋７も同時に持ち上げられる。水平状態に装着されている軒樋７は、図４（ｂ）　に示すように、水平状態から水勾配ｓに合わせられた状態に設置される。
【００２５】
このように、リフトレバー４を操作するだけで、吊具本体１を取付体２に対して上方向に持ち上げ、吊具本体１に取付けられている軒樋７を簡単に持ち上げて水勾配をつけることができる。
【００２６】
以上、本発明の実施の形態を図面に基づいて説明してきたが、具体的な構成はこの実施例に限られるものではなく本発明の要旨を逸脱しない範囲の設計変更等があっても本発明に含まれる。
例えば、上記実施例において、吊具本体１の取付孔１３に挿通される吊設ピン３は、軸部３０の下端にリベット状の鍔部３２を形成したが、図５に示すように、軸部３０の下端に螺子部３０ａを螺設して、この螺子部３０ａにナット３４を螺着してリフトレバー４２の作動高さを調整するようにしてもよい。
【００２７】
【発明の効果】
請求項１記載の軒樋吊具においては、両端部に軒樋の耳部を支持する樋耳支持部が設けられた吊具本体と、軒先の鼻隠し板などに取り付けられる取付体と、前記吊具本体の中央部から上方に突出して設けられる吊設ピンとからなり、前記取付体の屋外側端部に吊設ピンが挿通される挿通孔が設けられ、この挿通孔に吊具本体に設けられた吊設ピンの上端部が上下方向に摺動自在に挿通して突出しており、この上端部に把手を有するリフトレバーの先端部が取付けられ、リフトレバーの把手を押圧することにより吊具本体を持ち上げるようにしたので、軒樋を吊具本体に取付けた状態で軒樋の水勾配の調整を簡単に行うことができる。
【図面の簡単な説明】
【図１】本発明の軒樋吊具の実施例を示す側面図である。
【図２】図１の軒樋吊具のレフトレバーを押し下げた状態を示す一部破断した側面図である。
【図３】本発明の軒樋吊具が軒先に取付けられた状態を説明する図であって、同図（ａ）　はリフトレバーを作動させる前の状態を示す側面図、同図（ｂ）　はリフトレバーを作動させ押し下げた状態を示す側面図である。
【図４】本発明の軒樋吊具を使用して軒樋を取付ける手順を説明する図で、同図（ａ）　は、軒樋吊具を鼻隠し板に水勾配に沿って配列した状態を示す正面図、同図（ｂ）　は、軒樋吊具に軒樋を取付けて持ち上げた状態を示す正面図である。
【図５】本発明の軒樋吊具の他の実施例を示す側面図である。
【符号の説明】
Ｈ　軒樋吊具
１　吊具本体
１１、１２　樋耳支持部
１３　取付孔
２　　取付体
２１　取付部
２４　吊設部
２５　挿通孔
３　　吊設ピン
３０　軸部
３０ａ　螺子部
３１　上端部
３２　鍔部
３３　軸ピン
３４　ナット
４　　リフトレバー
４１　垂下壁
４３　把手
６　　鼻隠し板
７　　軒樋
７１　屋外側耳部
７２　屋内側耳部
８　　竪樋
【図１】
2004143854.tif 000003
【図２】
2004143854.tif 000004
【図３】
2004143854.tif 000005
【図４】
2004143854.tif 000006
【図５】
2004143854.tif 000007